(57)【特許請求の範囲】
【請求項１】
会員カードに記憶されたカード毎に異なるカード情報を読み取り可能であると共に貸し出し可能な遊技媒体数を会員カードに書き込むリーダ／ライタ部と、会員カードの利用者を照合するための暗証情報及び遊技媒体の貸し出しを受けるための貸出希望数情報が入力される入力部とからなり、遊技媒体を貸し出し可能な貸出機とは別に設けられ、カード情報及び暗証情報並びに貸出希望数情報を出力し、前記入力部により入力された暗証情報による認証の後、会員カードのカード情報に対応して記録されている賞品媒体数情報を前記貸出機による認証なく貸し出し可能な貸出希望数情報相当の貸出媒体数として会員カードへ書き込ませる発行指示信号を入力するとリーダ／ライタ部が指示された前記貸出媒体数を会員カードへ書き込むことを特徴とするカード発行装置。
【請求項２】
カード毎に異なるカード情報及び貸し出し可能な遊技媒体数が記憶される会員カードと、
挿入される会員カードのカード情報を読み取り信号出力すると共に貸し出し可能な遊技媒体数を会員カードへ書き込むリーダ／ライタ部が設けられ、会員カードの利用者を照合するための暗証情報及び遊技媒体の貸し出しを受けるための貸出希望数情報を入力され暗証情報及び貸出希望数情報を信号出力する入力部が設けられ、遊技媒体を貸し出し可能な貸出機とは別に設けられ、前記入力部により入力された暗証情報による認証の後、会員カードのカード情報に対応して記録されている賞品媒体数情報を貸出機による認証なく貸し出し可能な貸出希望数情報相当の貸出媒体数として会員カードに記憶させて発行するよう指示する発行指示信号を入力した場合には、リーダ／ライタ部が会員カードに前記貸出媒体数を記憶するカード発行装置と、
会員カードが挿入され、会員カードに記憶された貸出媒体数を読み取るリーダ／ライタ部が設けられ、所定数の遊技媒体を貸し出す貸出スイッチが設けられ、貸出スイッチが押圧されると読み取った貸出媒体数の範囲で遊技媒体を貸し出すと共にリーダ／ライタ部が会員カードに貸出媒体数から貸し出した媒体数を減算して更新記憶させる貸出機と、
挿入される会員カードのカード情報を読み取り信号出力するカード情報読取部が設けられ、投入される遊技媒体数を計数して賞品媒体数情報として信号出力する計数部が設けられる計数機と、
カード発行装置、貸出機、及び、計数機と夫々信号入出力可能に接続され、会員カードのカード情報に対応させて識別情報を記憶すると共に賞品媒体数情報を記憶する記憶部が設けられ、カード発行装置からカード情報及び暗証情報並びに貸出希望数情報を入力すると、カード情報に対応して記憶された識別情報と暗証情報とを照合し、一致している場合には、記憶された賞品媒体数情報の範囲で、賞品媒体数から貸出希望数を所定の比率で減算して更新記憶すると共に、会員カードに賞品媒体数情報を貸出機による認証なく貸し出し可能な貸出希望数情報相当の貸出媒体数として換算し、記録して発行させる発行指示信号を出力し、計数機からカード情報及び賞品媒体数情報を入力した場合には、カード情報に対応して記憶された賞品媒体数情報に入力した賞品媒体数情報を加算して更新記憶する管理コンピュータとからなり、
貸出機において遊技媒体の貸し出しを受ける際には、暗証情報によって既に認証された貸出媒体数の範囲で貸出機による認証なしに貸し出し可能となることを特徴とする遊技媒体貸出装置。
【請求項３】
カード毎に異なるカード情報が記憶された会員カードに貸出媒体数を記憶させて遊技させるための遊技媒体貸出方法であって、
コンピュータに、貸出機とは別に設けられるカード発行装置からカード情報及び暗証情報並びに貸出希望数情報を入力すると、カード情報に対応して記憶された識別情報と暗証情報とを照合させ、照合結果が一致していれば、カード情報に対応して記憶された賞品媒体数情報の範囲で、賞品媒体数から貸出希望数を所定の比率で減算して更新記憶させて換算し、貸出機による認証なく貸し出し可能な貸出希望数情報相当の貸出媒体数として会員カードへ書き込ませる発行指示信号を出力させ、計数機からカード情報及び賞品媒体数情報を入力すると、カード情報に対応して記憶された賞品媒体数情報に入力した賞品媒体数情報を加算して更新記憶させ、
貸出機において遊技媒体の貸し出しを受ける際には、暗証情報によって既に認証された貸出媒体数の範囲で貸出機による認証なしに貸し出し可能となることを特徴とした遊技媒体貸出方法。
【請求項４】
カード毎に異なるカード情報が記憶された会員カードと、
挿入される会員カードのカード情報を読み取り信号出力するリーダ／ライタ部が設けられ、会員カードの利用者を照合するための暗証情報及び遊技媒体の貸し出しを受けるための貸出希望数情報を入力され暗証情報及び貸出希望数情報を信号出力する入力部が設けられ、貸出機とは別に設けられるカード発行装置と、
挿入される会員カードに記憶されたカード情報を読み取り信号出力するリーダ／ライタ部が設けられ、押圧されることで所定数の遊技媒体を貸し出す貸出信号を出力する貸出スイッチが設けられ、貸出許可信号を入力することで遊技媒体を貸し出す貸出機と、
挿入される会員カードのカード情報を読み取り信号出力するカード情報読取部が設けられ、投入される遊技媒体数を計数し賞品媒体数情報として信号出力する計数部が設けられる計数機と、
カード発行装置、貸出機、及び、計数機と夫々信号入出力可能に接続され、会員カードのカード情報に対応させて識別情報、賞品媒体数情報、及び、貸し出し可能な遊技媒体数を表す貸出媒体数情報を記憶する記憶部が設けられ、カード発行装置からカード情報、暗証情報、及び、貸出希望数情報を入力すると、カード情報に対応して記憶された識別情報と入力した暗証情報とを照合し一致していれば、カード情報に対応して記憶された賞品媒体数情報の範囲で、賞品媒体数から貸出希望数を所定の比率で減算して更新記憶すると共に、賞品媒体数情報を貸出機による認証なく貸し出し可能な貸出希望数情報相当の貸出媒体数としてカード情報に対応して記憶し、貸出機からカード情報及び貸出信号を入力した場合には、貸出機へカード情報に対応して記憶される貸出媒体数の範囲で遊技媒体を貸し出しさせる貸出許可信号を出力すると共に貸出媒体数情報から貸し出し許可した媒体数を減算して更新記憶し、計数機からカード情報及び賞品媒体数情報を入力した場合には、入力した賞品媒体数情報をカード情報に対応して記憶された賞品媒体数情報に加算記憶する管理コンピュータとからなり、
貸出機において遊技媒体の貸し出しを受ける際には、暗証情報によって既に認証された貸出媒体数情報の範囲で貸出機による認証なしに貸し出し可能となることを特徴とする遊技媒体貸出装置。
【請求項５】
カード毎に異なるカード情報が記憶された会員カードを用いて貸出媒体数を貸し出し遊技させるための遊技媒体貸出方法であって、
コンピュータに、貸出機とは別に設けられるカード発行装置からカード情報及び暗証情報並びに貸出希望数情報を入力すると、カード情報に対応して記憶された識別情報と暗証情報とを照合させ、照合結果が一致していれば、カード情報に対応して記憶された賞品媒体数情報の範囲で、賞品媒体数から貸出希望数を所定の比率で減算して更新記憶させて換算し、貸出機による認証なく貸し出し可能な貸出希望数情報相当の貸出媒体数としてカード情報に対応して記憶させ、貸出機からカード情報及び貸出信号を入力すると、カード情報に対応して記憶される貸出媒体数の範囲で遊技媒体を貸し出しさせる貸出許可信号を貸出機へ出力させ、貸出媒体数情報から貸し出し許可した媒体数を減算して更新記憶させ、計数機からカード情報及び賞品媒体数情報を入力すると、入力した賞品媒体数情報をカード情報に対応して記憶された賞品媒体数情報に加算記憶させ、
貸出機において遊技媒体の貸し出しを受ける際には、暗証情報によって既に認証された貸出媒体数の範囲で貸出機による認証なしに貸し出し可能となることを特徴とした遊技媒体貸出方法。
【発明の詳細な説明】
【０００１】
【発明の属する技術分野】
この発明は、パチンコゲーム場等ゲームホールにおいて、ゲーム機の遊技媒体である貸玉、貸メダルを貸し出す遊技媒体貸出装置に係る。詳細には、利用者を特定可能なカード情報が記憶された会員カードを用い、管理コンピュータに記憶された会員カード毎の遊技媒体数情報から、利用者の所望する遊技媒体数を貸し出す遊技媒体貸出装置に関する。
【０００２】
【従来の技術】
パチンコ台、回胴式遊技機等、複数の遊技機を設置したゲームホールにおいては、メダル或はパチンコ玉等の遊技媒体の貸し出しを受けてゲームを行っていた。
以下、パチンコホールを例として説明する。
パチンコ玉の貸し出しは、カード発券機にパチンコ玉の貸し出しを希望する金額を挿入することで、挿入金額に相当するパチンコ玉の貸し出しを受けられる貸玉カードを発行して行い、パチンコ台毎に設置される台間玉貸機に貸玉カードを挿入してパチンコ玉の貸し出しを受けていた。
そして、パチンコ玉を貸し出す際には、貸し出す利用者に関わりなく金額相当のパチンコ玉を貸し出していたので、利用者に関する情報は管理されていなかった。従って、新聞に折込チラシを入れてホールの宣伝をする、或は、利用客の性別、年齢層、来店時間に沿ったサービスを行う際に使用可能な利用客に関するデータを取れなかった。
又、パチンコホールにおいては、パチンコ玉を貸し出して、ゲームを行い、獲得したパチンコ玉を景品と交換して景品を獲得するが、景品との交換はゲーム終了後に行われていた。従って、ゲーム終了後に直ぐに景品と交換するのでは、獲得できる数がさほど大きくならないため、良い景品を獲得するのが困難であった。
【０００３】
そこで、次回までパチンコ玉をパチンコホールへ貯めておくことが可能であると共に利用客に関する情報の管理を可能としたパチンコ玉の貸出装置として従来例１が有った。
従来例１に表すパチンコホールでは、希望する利用者には、会員として登録するために会員カードを付与していた。そして、会員カードには、会員カード毎に異なりカードを識別可能であるカード情報を記憶させておき、管理コンピュータへも会員カードのカード情報を記憶させていた。一方、会員カードを発行した会員には、会員カード利用者であることを特定可能な暗証情報を付与していた。そして、管理コンピュータには、カード情報に対応させて種々のデータ（会員の氏名、性別、年齢、住所等）を記憶させると同時に、会員が記憶した暗証情報と照合するための識別情報を記憶しておき、各機器から読み出したカード情報に対応して記憶される識別情報と会員によって入力された暗証情報とを照合することで正規の使用者であるか否かを識別していた。
【０００４】
以下、従来例１を説明する。
Ｗは会員カードである。会員カードＷは、各会員カードＷ毎に異なるカード情報が記憶され、会員毎に付与される。従って、各会員は、異なるカード情報を記憶された会員カードＷを所持することとなる。
【０００５】
１００はパチンコ台であり、１０１は管理コンピュータであり、１０２はホール玉貸機であり、１０３は台間玉貸機であり、１０４は玉数計数機であり、１台或は複数台からなる管理コンピュータ１０１が複数のパチンコ台１００、ホール玉貸機１０２、台間玉貸機１０３、玉数計数機１０４、及び、その他の必要機器と信号入出力可能に接続され管理コンピュータ１０１で各情報を管理する。
パチンコ台１００は、パチンコホールに島毎に複数台並べて設置され、夫々管理コンピュータ１０１と信号入出力可能に接続される。
【０００６】
管理コンピュータ１０１は、会員カードＷのカード情報に対応させて種々の情報を記憶可能であり、その他、パチンコホールの管理に必要な種々の機能を有する。管理コンピュータ１０１には、各会員カードに対応させてカード情報毎にカードを識別可能な識別情報を記憶させておき、他の機器から、他の機器で読み取られたカード情報及び利用者によって他の機器で入力された暗証情報を入力し、入力したカード情報に対応して記憶された識別情報と入力された暗証情報とを照合して正しい暗証情報が入力された場合にはカードの利用を許可するように、信号入力された他の機器へ指示信号を出力する。管理コンピュータ１０１に記憶されるカード情報に対応して記憶される情報は、識別情報の他に、利用可能な貸出玉数、会員の種々のデータ（氏名、性別、年齢、住所等）等が記憶される。
【０００７】
ホール玉貸機１０２は、管理コンピュータ１０１と信号入出力可能に接続され、会員カード挿入口、現金挿入口、番号入力部、及び、玉貸出口を備え、挿入された会員カードＷからカード情報を読み取り管理コンピュータ１０１へ出力可能である。同様に、ホール玉貸機１０２は、会員によって入力された暗証情報を管理コンピュータ１０１へ出力可能である。そして、ホール玉貸機１０２では、現金によってパチンコ玉を貸し出す場合には、会員カードＷが挿入されて現金を投入されると、カード情報を読み取ると共に投入現金を認識し、読み取ったカード情報及び投入された現金の情報を管理コンピュータ１０１へ出力して管理コンピュータ１０１にカード情報に対応させて投入現金に相当するパチンコ玉の貸し出しを行う情報を記憶させると共に、挿入された現金に相当するパチンコ玉を貸し出す。又、ホール玉貸機１０２は、会員カードに対応して管理コンピュータ１０１へ記憶された貸し出し可能なパチンコ玉数を表す貸玉情報の範囲でパチンコ玉を貸し出す場合には、会員カードＷが挿入されると共に暗証情報が入力されると、カード情報を読み取り、読み取ったカード情報及び入力された暗証情報を管理コンピュータ１０１へ出力する。そして、管理コンピュータ１０１が、カード情報に対応して記憶された識別情報と暗証情報とを照合すると共に入力された貸出希望玉数を貸玉情報と照合して、正規の利用であり貸し出し可能で有ればカード利用を許可し希望玉数を貸し出し可能である指示信号を出力するので、ホール玉貸機１０２が該信号を入力して所望数のパチンコ玉を貸し出す。
【０００８】
台間玉貸機１０３は、島毎に複数台並べて設置される各パチンコ台１００に対応するように隣り合うパチンコ台１００との間に設置され、管理コンピュータ１０１と信号入出力可能である。又、台間玉貸機１０３には、会員カードを挿入可能な会員カード挿入口、貸玉カードを挿入可能な貸玉カード挿入口、及び、現金挿入口が設けられる。そして、会員カード挿入口から会員カードＷが挿入されると共に現金が投入されると、会員カードからカード情報を読み取ると共に現金金額を読み取り管理コンピュータ１０１へ出力し、更に、投入された現金の金額に相当するパチンコ玉を貸し出す。このとき、管理コンピュータ１０１では、入力したカード情報に対応させて金額に相当する貸玉数を加算記憶する。又、会員カードと共に貸玉カードを挿入されると貸玉カードに記録される貸し出し可能な玉数の範囲でパチンコ玉を貸し出すと共に貸し出した玉数の情報を管理コンピュータ１０１へ出力する。管理コンピュータ１０１では、貸し出した玉数情報をカード情報に対応して加算して記憶する。
【０００９】
玉数計数機１０４は、パチンコホールに数台或は各パチンコ台１００毎に設置され、管理コンピュータ１０１と信号入出力可能に接続される。玉数計数機１０４には、会員カードＷを挿入可能なカード挿入口が設けられると共に、パチンコ玉投入口が設けられ、会員カードＷが挿入されるとカード情報を読み取り、パチンコ玉数が投入されると玉数を計数し、接続する管理コンピュータ１０１へ出力可能である。そして、会員カードＷが挿入されると共にパチンコ玉が投入されると、カード情報を読み取ると共に玉数を計数し、カード情報及び玉数を管理コンピュータ１０１へ出力し、玉数情報をカード情報に対応させて管理コンピュータ１０１へ記憶させる。従って、計数された賞品としての玉数は管理コンピュータ１０１へ加算されて記憶される。又、会員カードＷが挿入されずにパチンコ玉のみがパチンコ玉投入口から投入された場合には、計数結果をレシート等の形式で利用者に出力する。
【００１０】
そして、管理コンピュータ１０１では、各パチンコ台１００から入力する出玉情報、各玉貸機１０３から入力する貸玉数情報、及び、各計数機１０４から入力する賞品玉数の情報が夫々正常値であってパチンコホール全体で不正が行われていないかを監視する。
そこで、会員が既に管理コンピュータ１０１に記憶された玉数を再び借り出す場合には、台間玉貸機１０３には会員カード挿入口はあるものの暗証情報の入力部がないので暗証情報の入力が行えず、従って、台間玉貸機１０３では会員カードの正規利用であるか否かを判断ができないので、一旦ホール玉貸機１０２に行き、会員カードＷをホール玉貸機１０２に挿入して暗証情報を入力部から入力し、管理コンピュータ１０１によって照合され、正規の利用であることが認められると予め管理コンピュータ１０１に記憶されている貸し出し可能な玉数の範囲でパチンコ玉を貸し出していた。
【００１１】
従って、従来例１では、顧客に関する管理は会員カードを用いて行うことが可能ではあるものの、各パチンコ台１００間に設置される台間玉貸機１０３では、会員カードＷに対応して記憶された貸し出し可能な玉数からパチンコ玉の貸し出しを受けることができなかった。そして、会員カードＷに対応して記憶された貸し出し可能な玉数から貸し出しを受けるには、ホールに数台設置されているホール玉貸機１０２によって貸し出しを受け、遊技台までパチンコ玉を運ばなければならなかった。
【００１２】
これらの煩わしさを解消するために、以下に表す従来例２が有った。
即ち、従来例２では、各パチンコ台１００間に設置される全ての台間玉貸機１０３に暗証情報を入力可能な入力部を設け、ホール玉貸機１０２同様の機能を持たせ、台間玉貸機１０３に会員カードＷを挿入すると共に利用者が暗証情報を入力して管理コンピュータ１０１に識別情報と照合させ、正規の利用で有れば、管理コンピュータ１０１に記憶された貸し出し可能な玉数の範囲でパチンコ玉を貸し出していた。
【００１３】
【発明が解決しようとする課題】
しかしながら、従来例２では、会員カードを用いてパチンコ玉を貸し出す全ての玉貸装置、即ち、全ての台間玉貸機及び全てのホール玉貸機夫々に暗証情報を入力するための入力部を備えると共に、管理コンピュータが全ての玉貸装置からカード情報及び暗証情報を入力してカード情報に対応して記憶された識別情報と暗証情報との照合を行うという作業が可能なシステムとしなければならず、コスト高となる問題点を有した。
更に、既に従来例１に表す構成のパチンコホールでは、制御システムを変更するだけではなく全ての台間玉貸機を暗証情報の入力部を備えたものと交換しなければならず、既存の構成を容易に変更できず、システム構成の変更はやはりコスト高となる問題点を有した。
この発明は、これら問題点に鑑み、暗証情報を入力できない台間玉貸機から、会員カードに対応して管理コンピュータに記憶された貸し出し可能な玉数の範囲で貸し出しを受けられる遊技媒体貸出装置を提供することを課題とする。
【００１４】
【課題を解決するための手段】
そこで、この発明は、
会員カードに記憶されたカード毎に異なるカード情報を読み取り可能であると共に貸し出し可能な遊技媒体数を会員カードに書き込むリーダ／ライタ部と、会員カードの利用者を照合するための暗証情報及び遊技媒体の貸し出しを受けるための貸出希望数情報が入力される入力部とからなり、遊技媒体を貸し出し可能な貸出機とは別に設けられ、カード情報及び暗証情報並びに貸出希望数情報を出力し、前記入力部により入力された暗証情報による認証の後、会員カードのカード情報に対応して記録されている賞品媒体数情報を前記貸出機による認証なく貸し出し可能な貸出希望数情報相当の貸出媒体数として会員カードへ書き込ませる発行指示信号を入力するとリーダ／ライタ部が指示された前記貸出媒体数を会員カードへ書き込むことを特徴とするカード発行装置、
【００２４】
及び、
【００２５】
カード毎に異なるカード情報及び貸し出し可能な遊技媒体数が記憶される会員カードと、挿入される会員カードのカード情報を読み取り信号出力すると共に貸し出し可能な遊技媒体数を会員カードへ書き込むリーダ／ライタ部が設けられ、会員カードの利用者を照合するための暗証情報及び遊技媒体の貸し出しを受けるための貸出希望数情報を入力され暗証情報及び貸出希望数情報を信号出力する入力部が設けられ、遊技媒体を貸し出し可能な貸出機とは別に設けられ、前記入力部により入力された暗証情報による認証の後、会員カードのカード情報に対応して記録されている賞品媒体数情報を貸出機による認証なく貸し出し可能な貸出希望数情報相当の貸出媒体数として会員カードに記憶させて発行するよう指示する発行指示信号を入力した場合には、リーダ／ライタ部が会員カードに前記貸出媒体数を記憶するカード発行装置と、会員カードが挿入され、会員カードに記憶された貸出媒体数を読み取るリーダ／ライタ部が設けられ、所定数の遊技媒体を貸し出す貸出スイッチが設けられ、貸出スイッチが押圧されると読み取った貸出媒体数の範囲で遊技媒体を貸し出すと共にリーダ／ライタ部が会員カードに貸出媒体数から貸し出した媒体数を減算して更新記憶させる貸出機と、挿入される会員カードのカード情報を読み取り信号出力するカード情報読取部が設けられ、投入される遊技媒体数を計数して賞品媒体数情報として信号出力する計数部が設けられる計数機と、カード発行装置、貸出機、及び、計数機と夫々信号入出力可能に接続され、会員カードのカード情報に対応させて識別情報を記憶すると共に賞品媒体数情報を記憶する記憶部が設けられ、カード発行装置からカード情報及び暗証情報並びに貸出希望数情報を入力すると、カード情報に対応して記憶された識別情報と暗証情報とを照合し、一致している場合には、記憶された賞品媒体数情報の範囲で、賞品媒体数から貸出希望数を所定の比率で減算して更新記憶すると共に、会員カードに賞品媒体数情報を貸出機による認証なく貸し出し可能な貸出希望数情報相当の貸出媒体数として換算し、記録して発行させる発行指示信号を出力し、計数機からカード情報及び賞品媒体数情報を入力した場合には、カード情報に対応して記憶された賞品媒体数情報に入力した賞品媒体数情報を加算して更新記憶する管理コンピュータとからなり、貸出機において遊技媒体の貸し出しを受ける際には、暗証情報によって既に認証された貸出媒体数の範囲で貸出機による認証なしに貸し出し可能となることを特徴とする遊技媒体貸出装置、
【００２６】
及び、
【００２７】
カード毎に異なるカード情報が記憶された会員カードに貸出媒体数を記憶させて遊技させるための遊技媒体貸出方法であって、コンピュータに、貸出機とは別に設けられるカード発行装置からカード情報及び暗証情報並びに貸出希望数情報を入力すると、カード情報に対応して記憶された識別情報と暗証情報とを照合させ、照合結果が一致していれば、カード情報に対応して記憶された賞品媒体数情報の範囲で、賞品媒体数から貸出希望数を所定の比率で減算して更新記憶させて換算し、貸出機による認証なく貸し出し可能な貸出希望数情報相当の貸出媒体数として会員カードへ書き込ませる発行指示信号を出力させ、計数機からカード情報及び賞品媒体数情報を入力すると、カード情報に対応して記憶された賞品媒体数情報に入力した賞品媒体数情報を加算して更新記憶させ、貸出機において遊技媒体の貸し出しを受ける際には、暗証情報によって既に認証された貸出媒体数の範囲で貸出機による認証なしに貸し出し可能となることを特徴とした遊技媒体貸出方法、
【００２８】
を提供する。そして、その作用は以下の通りである。
遊技媒体の貸し出しを行うため、カード発行装置では、カード情報読取部が会員カードに記憶されたカード情報を読み取る。他方、利用者は、会員カードの利用者であることを照合するために付与された暗証情報、及び、貸し出しを希望する遊技媒体数である貸出希望数情報を入力部から入力する。そして、読み取ったカード情報、及び、入力された暗証情報並びに貸出希望数情報を管理コンピュータへ出力する。
カード発行装置からカード情報、暗証情報、及び、貸出希望数情報を入力した管理コンピュータでは、カード情報に対応して記憶された識別情報と暗証情報とを照合し、一致している場合には、賞品媒体数情報を貸出希望数情報に相当する所定の比率で減算し更新記憶する。同時に、貸出希望数の遊技媒体を貸し出し可能とさせる発行指示信号をカード発行装置へ出力する。記憶されている賞品媒体数情報が、貸出希望数に満たない場合には、賞品媒体数情報の範囲で所定の比率で計算を行い発行指示信号を出力する。又、識別情報と暗証情報とが一致しない場合には、貸し出しを行わせない。
【００２９】
カード発行装置では、管理コンピュータから発行指示信号を入力したので、リーダ／ライタ部が発行指示信号に従って貸し出し可能な貸出媒体数を会員カードへ記憶させる。
会員カードは、記憶された貸出媒体数の貸し出しを受けることが可能となる。そして、発行された会員カードを貸出機へ挿入し、貸出スイッチを押圧する。貸出機では、リーダ／ライタ部が挿入された会員カードから貸出媒体数情報を読み取る。又、所定数の遊技媒体を貸し出す貸出スイッチが押圧されたので、読み取った貸出希望数情報の範囲で遊技媒体を貸し出すと共に、読み取った貸出媒体数から貸し出した遊技媒体数を減算し、再び会員カードへ更新記憶させる。
【００３０】
遊技媒体を獲得したときには、会員カードを計数機へ挿入すると共に、獲得した遊技媒体を投入する。計数機では、会員カードからカード情報を読み取り管理コンピュータへ出力する。同様に、投入された遊技媒体を計数し遊技媒体数を管理コンピュータへ出力する。
管理コンピュータでは、計数機からカード情報及び遊技媒体数を入力したので、入力した遊技媒体数をカード情報に対応させて記憶された賞品媒体数へ加算して更新記憶する。
【００３１】
更に又、この発明は、
【００３２】
カード毎に異なるカード情報が記憶された会員カードと、挿入される会員カードのカード情報を読み取り信号出力するリーダ／ライタ部が設けられ、会員カードの利用者を照合するための暗証情報及び遊技媒体の貸し出しを受けるための貸出希望数情報を入力され暗証情報及び貸出希望数情報を信号出力する入力部が設けられ、貸出機とは別に設けられるカード発行装置と、挿入される会員カードに記憶されたカード情報を読み取り信号出力するリーダ／ライタ部が設けられ、押圧されることで所定数の遊技媒体を貸し出す貸出信号を出力する貸出スイッチが設けられ、貸出許可信号を入力することで遊技媒体を貸し出す貸出機と、挿入される会員カードのカード情報を読み取り信号出力するカード情報読取部が設けられ、投入される遊技媒体数を計数し賞品媒体数情報として信号出力する計数部が設けられる計数機と、カード発行装置、貸出機、及び、計数機と夫々信号入出力可能に接続され、会員カードのカード情報に対応させて識別情報、賞品媒体数情報、及び、貸し出し可能な遊技媒体数を表す貸出媒体数情報を記憶する記憶部が設けられ、カード発行装置からカード情報、暗証情報、及び、貸出希望数情報を入力すると、カード情報に対応して記憶された識別情報と入力した暗証情報とを照合し一致していれば、カード情報に対応して記憶された賞品媒体数情報の範囲で、賞品媒体数から貸出希望数を所定の比率で減算して更新記憶すると共に、賞品媒体数情報を貸出機による認証なく貸し出し可能な貸出希望数情報相当の貸出媒体数としてカード情報に対応して記憶し、貸出機からカード情報及び貸出信号を入力した場合には、貸出機へカード情報に対応して記憶される貸出媒体数の範囲で遊技媒体を貸し出しさせる貸出許可信号を出力すると共に貸出媒体数情報から貸し出し許可した媒体数を減算して更新記憶し、計数機からカード情報及び賞品媒体数情報を入力した場合には、入力した賞品媒体数情報をカード情報に対応して記憶された賞品媒体数情報に加算記憶する管理コンピュータとからなり、貸出機において遊技媒体の貸し出しを受ける際には、暗証情報によって既に認証された貸出媒体数情報の範囲で貸出機による認証なしに貸し出し可能となることを特徴とする遊技媒体貸出装置、
【００３３】
及び、
【００３４】
カード毎に異なるカード情報が記憶された会員カードを用いて貸出媒体数を貸し出し遊技させるための遊技媒体貸出方法であって、コンピュータに、貸出機とは別に設けられるカード発行装置からカード情報及び暗証情報並びに貸出希望数情報を入力すると、カード情報に対応して記憶された識別情報と暗証情報とを照合させ、照合結果が一致していれば、カード情報に対応して記憶された賞品媒体数情報の範囲で、賞品媒体数から貸出希望数を所定の比率で減算して更新記憶させて換算し、貸出機による認証なく貸し出し可能な貸出希望数情報相当の貸出媒体数としてカード情報に対応して記憶させ、貸出機からカード情報及び貸出信号を入力すると、カード情報に対応して記憶される貸出媒体数の範囲で遊技媒体を貸し出しさせる貸出許可信号を貸出機へ出力させ、貸出媒体数情報から貸し出し許可した媒体数を減算して更新記憶させ、計数機からカード情報及び賞品媒体数情報を入力すると、入力した賞品媒体数情報をカード情報に対応して記憶された賞品媒体数情報に加算記憶させ、貸出機において遊技媒体の貸し出しを受ける際には、暗証情報によって既に認証された貸出媒体数の範囲で貸出機による認証なしに貸し出し可能となることを特徴とした遊技媒体貸出方法、
【００３５】
を提供する。そして、その作用は以下の通りである。
【００３６】
遊技媒体の貸し出しを行うため、カード発行装置では、カード情報読取部が会員カードに記憶されたカード情報を読み取る。他方、利用者は、会員カードの利用者であることを照合するために付与された暗証情報、及び、貸し出しを希望する遊技媒体数である貸出希望数情報を入力部から入力する。そして、読み取ったカード情報、及び、入力された暗証情報並びに貸出希望数情報を管理コンピュータへ出力する。
カード発行装置からカード情報、暗証情報、及び、貸出希望数情報を入力した管理コンピュータでは、カード情報に対応して記憶された識別情報と暗証情報とを照合し、一致している場合には、賞品媒体数情報の範囲で、賞品媒体数情報を貸出希望数情報に相当する所定の比率で減算し更新記憶すると共に、貸出媒体数情報としてカード情報に対応させて記憶する。又、識別情報と暗証情報とが一致しない場合には、賞品媒体数情報の減算記憶、及び、貸出媒体数情報への記憶は行わない。
【００３７】
遊技媒体の貸し出しを受けるために、発行された会員カードを貸出機へ挿入し、貸出スイッチを押圧する。貸出機では、リーダ／ライタ部が挿入された会員カードから会員情報を読み取り管理コンピュータへ出力する。又、貸出スイッチが押圧されたので、貸出信号を管理コンピュータへ出力する。
管理コンピュータは、貸出機からカード情報、及び、貸出信号を入力したので、カード情報に対応して記憶された貸出媒体数の範囲で所定数の遊技媒体を貸し出しさせる貸出許可信号を貸出機へ出力する。
貸出機では、貸出許可信号を入力したので、所定数の遊技媒体を貸し出す。
遊技媒体を獲得したときには、会員カードを計数機へ挿入すると共に、獲得した遊技媒体を投入する。計数機では、会員カードからカード情報を読み取り管理コンピュータへ出力する。同様に、投入された遊技媒体を計数し遊技媒体数を管理コンピュータへ出力する。
管理コンピュータでは、計数機からカード情報及び遊技媒体数を入力したので、入力した遊技媒体数をカード情報に対応させて記憶された賞品媒体数へ加算して更新記憶する。
【００３８】
【発明の実施の形態】
以下に、この発明の実施の形態を図面に基づき説明する。図１はこの発明の第１の実施の形態を表す説明図であり、図２は（ａ）が同会員カードを（ｂ）が同貸出カードを夫々表す説明図であり、図３は同カード発行装置の説明図であり、図４は同貸出機の説明図であり、図５は計数機の説明図である。
【００３９】
以下に、この発明の第１の実施の形態を説明する。
１は、遊技媒体貸出装置である。遊技媒体貸出装置１は、この実施の形態では、パチンコホールにおける遊技媒体の貸出装置、即ち、パチンコ玉貸出装置（以下、パチンコ玉貸出装置１という）を例に説明するが、回動式遊技機等のゲームホールで用いるメダル貸出装置でもよく、遊技媒体の貸出装置で有ればよい。
パチンコ玉貸出装置１は、会員毎に所持する会員カード２、玉貸を受けるために発行される貸出カードである貸玉カード３、貸玉カード３を発行可能なカード発行装置４、玉貸カード３を挿入されてパチンコ玉を貸し出し可能な貸出機である台間玉貸機５、獲得したパチンコ玉を計数可能な計数機６、及び、管理コンピュータ７からなり、会員に付与される会員カード２を用いてパチンコ玉の貸し出し状況等を管理コンピュータ７によって管理可能である。
【００４０】
会員カード２は、図２（ａ）に表すように、裏面が磁気記憶部からなり各カードを識別可能なカード情報が記憶される。会員カード２は、磁気記憶部以外の記憶部、例えば、ＩＣを装着されたＩＣカード等他の記憶部を有してなってもよい。更に、会員カード２の表面には、所持する会員に関する情報等を表示可能な磁気表示部２１を設け、所持する会員の名前等を表示可能である。
【００４１】
貸玉カード３は、図２（ｂ）に表すように、会員カード２同様、裏面に磁気記憶部を設け、カード発行装置４によって貸し出しを受けられる玉数を表す貸玉数が記憶される。そして、貸玉カード３は、玉貸機５によって、玉貸を受けるたびに貸し出しを受けた貸出媒体数である貸玉数が減算して更新記憶される。貸玉カード３は、パチンコホール内において記憶された貸玉数を貸し出すと回収され、新たにカード発行装置４によって貸玉可能な貸玉数を記録されてサイクル利用される。貸玉カード３も、会員カード２同様、ＩＣカード等の他の記憶部を有するカードからなってもよい。更に、貸玉カード３の表面にも、会員カード２同様に磁気表示部３１を設け、貸し出し可能な貸玉数等を表示可能である。
【００４２】
カード発行装置４は、パチンコホール内に数カ所、例えば、パチンコ台Ｗを複数設置したパチンコ島の両端に設置し、管理コンピュータ７と信号入出力可能に接続する。カード発行装置４は、図３に表すように、会員カード２を挿入可能なカード挿入口４１を表面に設け、カード挿入口４１内部には挿入された会員カード２からカード情報を読み取り可能なリーダ／ライタ部４２を設ける。そして、リーダ／ライタ部４２は、会員カード２が挿入されるとカード情報を読み取り管理コンピュータ７へ出力する。又、カード発行装置４の表面には、発行する貸玉カード３を排出するカード排出口４３を設け、カード排出口４３内部には、貸玉カード３に貸し出し可能な貸玉数を記憶させてカード排出口４３から排出させるカード発行部４４が設けられる。カード発行部４４は、管理コンピュータ７から入力される発行指示信号を入力することで貸玉カード３を発行する。更に、カード発行装置４には、会員カードの正規な利用者であることを照合するために会員が記憶している暗証情報と、パチンコ玉の貸出希望数とを入力する入力部４５を設ける。入力部４５は、この実施の形態では、会員が暗証情報を入力可能な０乃至９の数字を表すテンキースイッチと、貸し出しを受ける玉数に相当する金額を所定金額毎に入力するよう、「１０００」「２０００」「３０００」の表示を施した金額ボタンスイッチとからなる。従って、会員は暗証情報をテンキー部分から入力すると共に、貸し出しを受けたい玉数に相当する金額を夫々の金額ボタンスイッチを押圧することで入力する。更に、カード発行装置４には、現金挿入口４６が設けられ、現金挿入口４６から挿入された現金の金額を識別可能な現金識別部４７を設け、挿入された現金に相当するパチンコ玉数を貸し出し可能な貸玉カード３を発行可能である。その際、金額ボタンスイッチを併用することで、釣り銭がある５０００円或は１００００円札を挿入されたときでも、所定額に相当するパチンコ玉の貸し出しが可能な貸玉カード３を発行して、釣り銭を返却するよう形成する。この実施の形態では、入力部４５をテンキースイッチと金額ボタンスイッチとから形成したが、例えば、金額ボタンスイッチ用いずに、テンキースイッチのみから形成し、貸し出しを受ける玉数もテンキースイッチから入力するよう形成してもよい。
【００４３】
台間玉貸機５は、パチンコ玉を貸し出す装置であり、図４に表すように、島に複数並設されるパチンコ台Ｗ間に各パチンコ台Ｗに対応して設置され、管理コンピュータ７と信号入出力可能に接続される。台間玉貸機５には、貸玉カード３を挿入されるカード挿入口５１が設けられ、カード挿入口５１内部には、挿入された貸玉カード３から貸し出し可能な貸出玉数を読み出し可能であると共に、貸玉カード３に記憶された貸し出し可能な貸玉数を減算して更新記憶させるリーダ／ライタ部５２を設けてなる。そして、リーダ／ライタ部５２は、読み出した貸玉数を管理コンピュータ７へ信号出力可能である。更に、台間玉貸機５には、貸出スイッチ５３を設ける。貸出スイッチ５３は、押圧スイッチからなり、押圧される毎に予め定める金額に相当するパチンコ玉の貸し出しを行う。従って、貸玉カード３が挿入されて貸出スイッチ５３が押圧される度に、対応するパチンコ台へパチンコ玉を貸し出すと共に、リーダ／ライタ部５２が既に記憶されている貸玉数から貸し出したパチンコ玉数を減算して貸玉カードへ新たに記憶させる。この実施の形態では、台間玉貸機５は、貸出スイッチ５３が押圧される毎に２００円分の貸し玉を行うが、１００円分或いはそれ以外の金額に設定しても良い。
【００４４】
計数機６は、パチンコ台Ｗで遊戯した結果獲得したパチンコ玉を計数する装置であり、パチンコホールのカウンタ或いは島毎に設置する。計数機６は、管理コンピュータ７と信号入出力可能に接続され、会員カード２を挿入するカード挿入口６１が設けられ、カード挿入口６１内部には、挿入された会員カード２からカード情報を読み取り可能なカード情報読取部６２を設ける。そして、カード挿入口６１に会員カード２が挿入されると、カード情報読取部６２が会員カード２からカード情報を読み取り、管理コンピュータ７へ信号出力する。更に計数機６には、獲得したパチンコ玉を計数可能な計数部６３を設けると共に、計数部６３へ獲得したパチンコ玉を投入する投入口６４を設ける。そして、投入口６４から投入されたパチンコ玉を計数部６３が計数し、計数した結果を賞品玉数情報として管理コンピュータ７へ信号出力する。この実施の形態では、計数機６をホールカウンタ或いは島毎に設置したが、島に並設される各パチンコ台Ｗに対応させて各パチンコ台Ｗ毎に設置してもよい。
【００４５】
管理コンピュータ７は、全てのカード発行装置４、台間玉貸機５、及び、計数機６と信号入出力可能に接続される。管理コンピュータ７には、記憶部７１を設け、会員カード２毎に付与されたカード情報に対応させて、識別情報を予め記憶すると共に賞品玉数情報を記憶する。更に、管理コンピュータ７は、カード発行装置４からカード情報、暗証情報、及び、貸出希望数情報を入力し、使用される会員カード２が正規の利用であるか否かを、予めカード情報に対応させて記憶部に記憶させた識別情報と入力した暗証情報とを照合して判断可能である。照合の結果、正規の利用である場合には、入力した貸出希望数情報をカード情報に対応して記憶されている賞品玉数情報から貸し出し可能かどうかを判断して、記憶されている賞品玉数情報の範囲で、貸出カード３を発行させる発行指示信号をカード発行装置４へ出力可能である。そして、管理コンピュータ７は、発行指示信号を出力する場合には、貸し出し可能とする貸玉数に相当する賞品玉数を、記憶されている賞品玉数情報から減算して再び記憶可能である。その際、賞品玉数情報の減算方法は、貸玉数１に対して、賞品玉数を１．６とするというように、予め設定される所定の比率で変換される。即ち、記憶されている賞品玉数情報が１０００発であり、３００発の貸玉希望数情報に対して３００発を貸し出し可能な貸出カード３を発行させる発行指示信号を出力する場合には、記憶されている賞品玉数情報からは貸玉数への変換率である１．６倍の賞品玉数４８０発を減算し、賞品玉数情報を５２０発分として更新記憶する。管理コンピュータ７が賞品玉数情報から貸玉する際に所定の比率を持って変換するのは、この実施の形態においては、パチンコ玉を貸し出す際の玉の料金と獲得したパチンコ玉を商品と交換する際の玉の料金とが異なるためである。従って、変換する際の比率（変換率）は、パチンコホール毎に自由に設定すれば足り、更には、時間帯毎に設定値を変更する事も可能である。そして、変換率の設定をどのように決定するかによって集客効率をよくすることが可能となる。尚、貸玉希望数が変換率をもって変換する賞品玉数情報より多い場合には、賞品玉数情報に記憶される全玉数を変換率をもって変換して貸玉希望数に満たない数のカードを発行するよう発行指示情報をカード発行装置４へ出力する。この場合には、貸玉数に満たない旨をカード発行装置４に設ける表示部（図示せず）へ表示させる指示信号を出力させてもよい。
【００４６】
又、管理コンピュータ７は、各計数機６からカード情報及び獲得した玉数を表す賞品玉数情報を入力可能であり、入力したカード情報に対応して記憶されている賞品玉数情報へ入力した賞品玉数情報を加算して更新記憶する。即ち、既に記憶されている賞品玉数情報が４６０発であり、入力した賞品玉数情報が１０００発である場合には、１４６０発分の賞品玉数情報として更新記憶する。
【００４７】
尚、この実施の形態では詳説しないが、獲得したパチンコ玉は、以前に獲得して記憶されたパチンコ玉と当日獲得したパチンコ玉とを記憶部７１に別々に記憶しておき、計数機から入力した賞品玉数情報は当日獲得したものとして記憶し、台間玉貸機５等によって貸し出す際には、当日獲得した賞品玉数情報から貸玉数へ充当し、当日獲得分がなくなった場合に前日までに獲得した賞品玉数情報から充当するよう形成してもよい。この場合には、日付が変わることで、賞品玉数情報を当日分から前日分へ移行記憶させる（実際には、閉店作業時、或は、開店作業時で足りる）。更に、記憶部７１には、カード情報に対応させて会員に関する種々のデータ、或いは、過去の来店状況、使用金額状況等を記憶させておくことで、例えば、利用客の少ない地域への折り込み広告配布や、所定金額を使った利用客への所定数の貸玉サービス等、玉貸に関する以外の利用も可能となる。
【００４８】
以上のように構成する第１の実施の形態の作用を以下に説明する。
会員カード２には、カード毎に対応したカード情報が記憶されており、管理コンピュータ７には、記憶部７１にカード情報毎に識別情報が記憶されると共に賞品玉数情報が記憶されている。
会員は、貸玉を受けるべく会員カード２をカード発行装置４のカード挿入口４１へ挿入する。次いで、入力部４５から暗証情報を入力すると共にパチンコ玉の貸し出しを受けたい貸玉希望数を入力する。すると、カード発行装置４では、リーダ／ライタ部４２がカード情報を読み取り、管理コンピュータ７へ信号出力すると共に、暗証情報及び貸玉希望数である貸玉希望数情報を管理コンピュータ７へ信号出力する。
【００４９】
管理コンピュータ７では、カード発行装置４からカード情報、暗証情報、及び、貸玉希望数情報を入力したので、カード情報と対応して記憶部７１に記憶された識別情報と入力した暗証情報とを照合する。照合結果が一致すると、貸玉希望数情報によって表される貸玉希望数を貸し出し可能とするように、カード情報に対応して記憶されている賞品玉数情報から貸玉希望数を所定の変換率をもって減算して更新記憶させる。それと共に、希望する数の貸玉が受けられる貸玉カード３の発行を指示する発行指示信号をカード発行装置４へ信号出力する。ただし、賞品玉数情報から貸玉希望数を所定の変換率をもって減算する際に賞品玉数情報が０以下となる場合には、記憶された賞品玉数情報を所定の変換率で貸玉数へ変換して、その貸玉数の貸し出しを受けられる貸玉カード３を発行させる発行指示信号を出力する。又、暗証情報と識別情報との照合が一致しない場合には、賞品玉数情報の変換は行わず、更に、貸玉カード３を発行しない指示信号が出力される。
【００５０】
カード発行装置４では、管理コンピュータ７から発行指示信号を入力し、発行部４４が発行指示信号によって指示される貸玉数を貸し出し可能に書き込んだ貸玉カード３を発行する。
そこで、会員は、玉貸を受けられる貸玉カード３を貰い受け、台間玉貸機５のカード挿入口５１へ貸玉カード３を挿入する。挿入された貸玉カード３はリーダ／ライタ部５２によって貸玉数情報が読み取られる。そして、貸出スイッチ５３を押圧する。台間玉貸機５では、所定数のパチンコ玉を貸し出す。次いで、リーダ／ライタ部５２は、読み取った貸玉数情報から貸し出したパチンコ玉数を減算して、再び貸玉数情報として貸玉カード３へ更新記憶させる。リーダ／ライタ部５２が読み取った貸玉数情報が、押圧スイッチ５３を押圧されて貸し出す所定数に満たない場合には、貸玉数情報の全貸玉数を貸し出し、貸玉カード３へはリーダ／ライタ部５２が貸出玉数がない旨を書き込み使用不能とさせ返却する。尚、この実施の形態では、貸玉カード３を使用不能とさせて返却するが、台間玉貸機５の内部にカード回収装置（図示せず）を設け、使用済みの貸玉カード３を回収してもよい。
【００５１】
遊技後、パチンコ玉を獲得した場合には、計数機６のカード挿入口６１へ会員カード２を挿入し、投入口６４へパチンコ玉を投入する。カード情報読取部６２では挿入された会員カード２からカード情報を読み取る。計数部６３では、投入されたパチンコ玉を計数する。そして、計数機６は、読み取ったカード情報及び計数結果である賞品玉数情報を管理コンピュータ７へ信号出力する。
管理コンピュータ７では、計数機６からカード情報及び賞品玉数情報を入力し、記憶部７１にカード情報と対応して記憶されている賞品玉数情報に入力した賞品玉数情報を加算し、そして加算した結果を更新登録する。
【００５２】
次いで、第２の実施の形態を説明する。
遊技媒体貸出装置１は、第２の実施の形態では、第１の実施の形態と異なり、貸玉カード３を有しない形態である。そして、第１の実施の形態で貸玉カード３が担っていた貸し出し可能な玉数を表す貸玉数情報の記憶を会員カード２に持たせてたものである。
即ち、会員カード２には、カード毎に異なるカード情報を記憶すると共に、貸し出しを受けられる貸玉数情報を記憶可能である。会員カード２は、その他は第１の実施の形態同様である。
【００５３】
カード発行装置４は、カード挿入口４１、カードリーダ／ライタ部４２、入力部４５、現金投入口４６、及び、現金識別部４７とからなり、第１の実施の形態と異なり、カード発行口４３及びカード発行部４４を有しない。カードリーダ／ライタ部４２は、第１の実施の形態に加え、会員カード２からカード情報を読み込み可能であると共に貸玉情報を書き込み可能である。そして、貸玉情報の書き込みは、第１の実施の形態同様、管理コンピュータ７から信号入力する発行指示情報の指示による。その他、カード挿入口４１、入力部４５、及び、現金投入口４６は、第１の実施の形態同様である。
【００５４】
台間玉貸機５は、第１の実施の形態同様に設置されると共に信号入出力可能に接続される。そして、台間玉貸機５には、会員カード２を挿入されるカード挿入口５１が設けられ、カード挿入口５１内部には、挿入された会員カード２から貸し出し可能な貸玉数を読み取り可能であると共に、会員カード２に記憶された貸し出し可能な貸玉数を減算して更新記憶させるリーダ／ライタ部５２を設けてなる。そして、リーダ／ライタ部５２は、読み取った貸玉数を管理コンピュータ７へ信号出力可能である。従って、第２の実施の形態では、台間玉貸機５は、貸玉数情報の読み取りは会員カード２から行う。その他は第１の実施の形態同様である。
【００５５】
計数機６は、第１の実施の形態同様である。そして、第２の実施の形態でも、第１の実施の形態同様に、計数機６をホールカウンタ或いは島毎に設置するが、島に並設される各パチンコ台Ｗに対応させて各パチンコ台Ｗ毎に設置してもよく、その場合には、カード情報読取部６２は、同様にパチンコ台Ｗに対応して設けられた台間玉貸装置５に内蔵されるリーダ／ライタ部４２を使用すれば計数機６にはカード情報読取部６２を設けなくともよい。
管理コンピュータ７は、第１の実施の形態同様に設けられると共に、第１の実施の形態同様に信号入出力可能である。
【００５６】
以上のように構成する第２の実施の形態の作用を以下に説明する。
会員カード２には、カード毎に対応したカード情報が記憶されていると共に、貸し出し可能な玉数である貸玉数情報が記憶される。そして、管理コンピュータ７には、記憶部７１にカード情報毎に識別情報が記憶されると共に賞品玉数情報が記憶されている。
会員は、貸玉を受けるべく会員カード２をカード発行装置４のカード挿入口４１へ挿入する。次いで、入力部４５から暗証情報を入力すると共にパチンコ玉の貸し出しを受けたい貸玉希望数を入力する。すると、カード発行装置４では、リーダ／ライタ部４２がカード情報を読み取り、管理コンピュータ７へ信号出力すると共に、暗証情報及び貸玉希望数情報を管理コンピュータ７へ信号出力する。
【００５７】
管理コンピュータ７では、カード発行装置４からカード情報、暗証情報、及び、貸玉希望数情報を入力したので、記憶部７１にカード情報と対応して記憶された識別情報と入力した暗証情報とを照合する。照合結果が一致すると、貸玉希望数情報によって表される貸玉希望数を貸し出し可能とするように、カード情報に対応して記憶されている賞品玉数情報から貸玉希望数を所定の変換率をもって減算して更新記憶させると共に、希望する数の貸玉が受けられる会員カード２の発行を指示する発行指示信号をカード発行装置４へ信号出力する。ただし、賞品玉数情報から貸玉希望数を所定の変換率をもって減算する際に賞品玉数が０以下となる場合には、記憶された賞品玉数を所定の変換率で貸玉数へ変換して、その貸玉数の貸し出しを受けられる会員カード２を発行させる発行指示信号を出力する。又、暗証情報と識別情報との照合が一致しない場合には、賞品玉数情報の変換は行わず、更に、会員カード２を発行しない指示信号を出力する。
【００５８】
カード発行装置４では、管理コンピュータ７から発行指示信号を入力し、リーダ／ライタ部４２が会員カード２へ発行指示信号によって指示される貸玉数を書き込んで貸し出し可能な状態とする。このように、会員カード２は貸玉数情報が書き込まれることで、記憶された貸玉数の範囲で、貸玉を受けることが可能となる。
【００５９】
そこで、会員は、貸玉数情報が記憶された会員カード２を受け、台間玉貸機５のカード挿入口５１へ会員カード２を挿入する。そして、貸出スイッチ５３を押圧する。挿入された会員カード２はリーダ／ライタ部５２によって貸玉数情報が読み取られ、台間玉貸機５は、所定数のパチンコ玉を貸し出す。次いで、リーダ／ライタ部５２は、読み取った貸玉数情報から貸し出したパチンコ玉数を減算して、再び貸玉数情報として会員カード２へ更新記憶させる。その際、リーダ／ライタ部５２が読み取った貸玉数情報が、押圧スイッチ５３を押圧されて貸し出す所定数に満たない場合には、貸玉数情報の全貸玉数を貸し出し、会員カード２へはリーダ／ライタ部５２が貸玉数がない旨を書き込み貸出不能とさせ返却する。
【００６０】
遊技後、パチンコ玉を獲得した場合には、計数機６のカード挿入口６１へ会員カード２を挿入し、投入口６４へパチンコ玉を投入する。カード情報読取部６２では挿入された会員カード２からカード情報を読み取る。計数部６３では、投入されたパチンコ玉を計数する。そして、計数機６は、読み取ったカード情報及び計数結果である賞品玉数情報を管理コンピュータ７へ信号出力する。
管理コンピュータ７では、計数機６からカード情報及び賞品玉数情報を入力し、入力した賞品玉数情報をカード情報と対応して記憶部７１に記憶されている賞品玉数情報に加算し、そして加算した結果を更新登録する。
【００６１】
従って、第２の実施の形態によれば、貸玉カード３を使用しない会員カード２のみの使用形態で、第１の実施の形態同様の作用効果を有する。
【００６２】
次いで、第３の実施の形態を説明する。第３の実施の形態では、第２の実施の形態同様、貸玉カード３を用いない使用形態である。そして、第２の実施の形態では貸玉カード３が担っていた、第２の実施の形態では会員カード２が夫々担っていた貸し出し可能な玉数を表す貸玉数情報の記憶を管理コンピュータ７に持たせてたものである。
即ち、会員カード２は、第１の実施の形態同様、カード毎に異なるカード情報を記憶する。
【００６３】
カード発行装置４は、カード挿入口４１、カードリーダ／ライタ部４２、入力部４５、現金投入口４６、及び、現金識別部４７とからなり、第１の実施の形態と異なり、カード発行口４４及びカード発行部４５を有しない。又、カードリーダ／ライタ部４２は、会員カード２からカード情報を読み込み可能である。その他、カード挿入口４１、入力部４５、及び、現金投入口４６は、第１の実施の形態同様である。そして、カード発行装置４は、現金によって玉貸を受けるべく現金が現金投入口４６から投入されると、現金識別部４７が金額を識別して金額情報として管理コンピュータ７へ出力可能である。
【００６４】
台間玉貸機５は、第１の実施の形態同様に設置されると共に信号入出力可能に接続される。そして、台間玉貸機５には、会員カード２を挿入されるカード挿入口５１が設けられ、カード挿入口５１内部には、挿入された会員カード２からカード情報を読み取り可能なリーダ／ライタ部５２を設けてなる。そして、リーダ／ライタ部５２は、読み取ったカード情報を管理コンピュータ７へ信号出力可能である。更に、台間玉貸機５には、貸出スイッチ５３を設ける。貸出スイッチ５３は、押圧スイッチからなり、押圧される毎に予め定める金額に相当するパチンコ玉の貸し出しを行う貸出信号を管理コンピュータ７へ出力し、管理コンピュータ７から貸出許可信号を入力することで所定数のパチンコ玉の貸し出しを行う。従って、会員カード２が挿入されて貸出スイッチ５３が押圧される度に、管理コンピュータ７へ貸出信号を出力し、貸し出しを許可する貸出許可信号を入力してパチンコ玉を対応するパチンコ台Ｗへ貸し出す。第３の実施の形態でも、台間玉貸機５は、貸出スイッチ５３が押圧される毎に２００円分の貸し玉を行うが、１００円分或いはそれ以外の金額に設定しても良い。
【００６５】
計数機６は、第１の実施の形態同様である。そして、第２の実施の形態でも、第１の実施の形態同様に、計数機６をホールカウンタ或いは島毎に設置するが、島に並設される各パチンコ台Ｗに対応させて各パチンコ台Ｗ毎に設置してもよく、この場合には、カード情報読取部６２は、同様にパチンコ台Ｗに対応して設けられた台間玉貸装置５に内蔵されるリーダ／ライタ部４２を使用すれば計数機６にはカード情報読取部６２を設けなくともよい。
【００６６】
管理コンピュータ７は、第１の実施の形態同様、全てのカード発行装置４、台間玉貸機５、及び、計数機６と信号入出力可能に接続される。管理コンピュータ７には、記憶部７１を設け、会員カード２毎に付与されたカード情報に対応させて、識別情報を予め記憶すると共に賞品媒体数情報である賞品玉数情報及び貸し出し可能な玉数を表す貸玉数情報を記憶する。更に、管理コンピュータ７は、カード発行装置４からカード情報、暗証情報、及び、貸出希望数情報を入力し、使用される会員カード２が正規の利用であるか否かを、記憶部７１に予めカード情報と対応させて記憶させた識別情報と入力した暗証情報とを照合して判断可能である。照合の結果、正規の利用である場合には、入力した貸出希望数情報をカード情報に対応して記憶されている賞品玉数情報から貸し出し可能かどうかを判断して、記憶されている賞品玉数情報の範囲で、賞品玉数情報を所定の比率で貸玉情報へ変換し貸玉数情報として記憶可能である。そして、管理コンピュータ７は、賞品玉数情報を貸玉情報へ変換して記憶する場合には、貸し出し可能とする貸玉数に相当する賞品媒体数を、記憶されている賞品玉数情報から減算して再び記憶すると共に変換した貸玉数を貸玉数情報として記憶可能である。その際、賞品玉数情報の減算方法は、貸玉数１に対して、賞品玉数を１．６とするというように、予め設定される所定の比率で変換される。即ち、記憶されている賞品玉数情報が１０００発であり、３００発の貸玉希望数情報に対して３００発を貸し出し可能な貸出玉数情報をカード情報に対応させて記憶する場合には、記憶されている賞品玉数情報からは貸玉数への変換率である１．６倍の賞品玉数４８０発を減算し、賞品玉数情報を５２０発分として更新記憶する。尚、貸玉希望数が変換率をもって変換する賞品玉数情報より多い場合には、賞品玉数情報に記憶される全玉数を貸玉数に変換して貸玉数情報として記憶する。この時賞品玉数情報は０となる。
【００６７】
又、管理コンピュータ７は、カード発行装置４からカード情報、及び、現金情報を入力すると、現金情報に相当する貸玉数を貸玉数情報としてカード情報に対応して記憶可能である。
更に又、管理コンピュータ７は、各計数機６からカード情報及び獲得した玉数を表す賞品玉数情報を入力すると、入力したカード情報に対応して記憶されている賞品玉数情報へ入力した賞品玉数情報を加算して更新記憶する。即ち、既に記憶されている賞品玉数情報が４６０発であり、入力した賞品玉数情報が１０００発である場合には、１４６０発分の賞品玉数情報として更新記憶する。
【００６８】
尚、この実施の形態では詳説しないが、記憶部７１には、カード情報に対応させて会員に関する種々のデータ、或いは、過去の来店状況、使用金額状況等を記憶させておくことで、例えば、利用客の少ない地域への折り込み広告配布や、所定金額を使った利用客への所定数の貸玉サービス等、玉貸に関する以外の利用も可能となる。
【００６９】
以上のように構成する第３の実施の形態の作用を以下に説明する。
会員カード２には、カード毎に対応したカード情報が記憶されている。そして、管理コンピュータ７の記憶部７１には、カード情報毎に識別情報が記憶されると共に賞品玉数情報及び貸し出し可能な玉数を表す貸玉数情報が記憶されている。
会員は、貸玉を受けるべく会員カード２をカード発行装置４のカード挿入口４１へ挿入する。次いで、入力部４５から暗証情報を入力すると共にパチンコ玉の貸し出しを受けたい貸玉希望数を入力する。カード発行装置４では、リーダ／ライタ部４２が挿入された会員カード２からカード情報を読み取り、管理コンピュータ７へ信号出力すると共に、暗証情報及び貸玉希望数情報を管理コンピュータ７へ信号出力する。
【００７０】
管理コンピュータ７では、カード発行装置４からカード情報、暗証情報、及び、貸玉希望数情報を入力したので、記憶部７１にカード情報と対応して記憶された識別情報と入力した暗証情報とを照合する。照合結果が一致すると、貸玉希望数情報によって表される貸玉希望数を貸し出し可能とするように、カード情報に対応して記憶されている賞品玉数情報から貸玉希望数を所定の変換率をもって減算して更新記憶させると共に、希望する数の貸玉が受けられるように貸玉数情報をカード情報に対応させて記憶する。ただし、賞品玉数情報から貸玉希望数を所定の変換率をもって減算する際に賞品玉数が０以下となる場合には、記憶された全賞品玉数を所定の変換率で貸玉数へ変換して、その貸玉数を貸玉数情報として記憶する。又、暗証情報と識別情報との照合が一致しない場合には、賞品玉数情報の変換は行わない。このように、記憶部７１へ貸玉数情報が記憶されると、暗証情報と識別情報との照合なしに貸玉数情報の範囲で貸玉を受けられることとなる。
【００７１】
又、カード発行装置４に現金を投入して貸玉を受ける場合には、会員カード２をカード発行機４のカード挿入口４１へ挿入すると共に、現金を現金挿入口４６へ挿入し、入力部４５から貸し出しを受けたい金額を入力する。すると、カード挿入口４１では、リーダ／ライタ部４２がカードに記憶されたカード情報を読み取り、現金識別部４７が挿入された現金の金額を識別して入力された貸し出しを受けたい金額を金額情報として信号出力する。このとき、挿入された現金が貸し出しを受けたい金額より多ければ釣り銭を返却して入力された金額を金額情報とし、少なければその旨を表示する。そして、カード発行装置４ではカード情報及び金額情報を管理コンピュータ７へ信号出力する。管理コンピュータ７では、カード発行装置４からカード情報、及び、金額情報を入力したので、金額情報に相当するパチンコ玉数を貸玉数情報としてカード情報に対応させて記憶部７１へ記憶する。この実施の形態では、現金を用いて貸玉情報を管理コンピュータ７へ記憶させるときには、カード情報と対応して記憶部７１に記憶された識別情報と入力した暗証情報とを照合しないが、会員カード２の不正使用を避けたければ、金額を入力部４５から入力する際に暗証情報も入力して、管理コンピュータ７で暗証情報と識別情報とを照合するよう形成してもよい。
【００７２】
そこで、会員は、管理コンピュータ７に貸玉数情報が記憶された会員カード２をカード発行装置４から貰い受け、台間玉貸機５のカード挿入口５１へ会員カード２を挿入する。そして、貸出スイッチ５３を押圧する。すると、台間玉貸機５では、リーダ／ライタ部５２が、挿入された会員カード２からカード情報を読み取り管理コンピュータ７へ信号出力すると共に、貸出スイッチ５３を押圧されたので貸出信号を管理コンピュータ７へ信号出力する。
管理コンピュータ７では、台間玉貸機５からカード情報及び貸出信号を入力する。管理コンピュータ７は、入力したカード情報に対応して記憶される貸玉数情報が貸出信号の表す玉数より多い場合には、貸出信号の表す玉数を貸し出させる貸出許可信号を台間玉貸機５へ出力すると共に、貸し出す玉数を記憶されている貸玉数情報から減算し、減算結果を貸玉数情報として記憶部７１へ更新記憶する。尚、貸玉数情報が貸出信号の表す玉数を下回っているときには、記憶された全貸玉数情報を貸し出させる貸出許可信号を出力すると共に記憶部７１に記憶されている貸玉数情報を０として更新記憶する。
【００７３】
そして、遊技後、パチンコ玉を獲得した場合には、計数機６のカード挿入口６１へ会員カード２を挿入し、投入口６４へパチンコ玉を投入する。カード情報読取部６２では挿入された会員カード２からカード情報を読み取る。計数部６３では、投入されたパチンコ玉を計数する。そして、計数機６は、読み取ったカード情報及び計数結果である賞品玉数情報を管理コンピュータ７へ信号出力する。
管理コンピュータ７では、計数機６からカード情報及び賞品玉数情報を入力し、記憶部７１にカード情報と対応して記憶されている賞品玉数情報に入力した賞品玉数情報を加算して更新記憶する。
【００７４】
第２の実施の形態では会員カード２にのみ貸玉数情報を記憶し、又、第３の実施の形態では管理コンピュータ７にのみ貸玉数情報を記憶し実施するよう形成したが、第２及び第３の実施の形態において、貸玉数情報を会員カード２と管理コンピュータ７とに重複して登録し、賞品玉数情報及び貸玉数情報の加算時或は減算時には会員カード２及び管理コンピュータ７の両方に減算結果或は加算結果を更新記録することで、会員カード２の改竄、或は、管理コンピュータ７への不正を防止することができる。
【００７５】
尚、第１乃至第３の実施の形態において、記憶される賞品玉数情報及び貸玉情報は、金額に相当する情報として記憶するよう形成したが、賞品玉数情報及び貸玉情報、或は、どちらかを、直接金額情報として記憶し、貸玉を行う際等に所定倍数にして玉数に変換するように形成してもよい。
更に、第１乃至第３の実施の形態では、カード発行装置４の入力部４５から入力する貸出希望数情報は、使用者が所望数を入力するよう形成したが、予め定める所定数しか選択できないよう形成すると共に、その日に貸し出せる賞品玉数の総量を制限するよう構成してもよい。即ち、管理コンピュータ７には、その日に貸し出せる総量を予め３０００円相当の玉数と記憶させておく。一方、入力部４５は暗証情報を入力するテンキースイッチと、３０００円相当の玉数を貸し出すボタンスイッチのみからなり、貸し出しを受けられる玉数が３０００円相当のみとなるように入力部４５を形成しておく。そして、管理コンピュータ７は、カード情報と暗証情報と貸出希望数情報とが入力された場合には、照合してカード情報に対応して記憶された賞品玉数の範囲で３０００円相当の玉数を貸し出し可能とする発行指示信号をカード発行装置４へ出力すると共に、当日は入力したカード情報のカードから貸出を行わないよう記憶しておく。そして、カード発行機４では、３０００円相当の玉貸を受けられるようにする。管理コンピュータ７では、当日は、以後同じ会員カード２を用いて賞品玉数から貸玉を受けようとした場合には、当日中は貸し出し不可であるように設定して貸し出しを行わないように形成する。
【００７６】
【発明の効果】
このように、本発明によれば、複数設置される貸出機に正規な会員カードの使用であるか否かをチェックさせるための暗証情報入力部を設けることがないので、従来から使用されている暗証情報入力部を有しない遊技媒体貸出装置でも、機器構成を変更することなく演算処理を指示するソフトウェアを変更するだけで、会員カードの不正使用による被害を減少できる。又、貸玉カードを使用せずに会員カードへ直接貸玉数情報を記憶させることで、貸玉カードを使用することなく会員カードのみで使用できると共に、カード発行装置に発行部を設けなくて良いので、構成が簡単で安価カード発行装置が提供可能となる。更に、貸玉数情報を管理コンピュータへ記憶させることで、会員カードに貸玉数情報を記憶しないので、カードの記憶内容の改竄等不正が防止できる。
【図面の簡単な説明】
【図１】第１の実施の形態をさらわす説明図
【図２】（ａ）は会員カードの説明図、（ｂ）は貸出カードの説明図
【図３】カード発行装置の説明図
【図４】貸出機の説明図
【図５】計数機の説明図
【符号の説明】
１    遊技媒体貸出装置
２    会員カード
２１  磁気表示部
３    貸出カードである貸玉カード
３１  磁気表示部
４    カード発行装置
４１  カード挿入口
４２  リーダ／ライタ部
４３  カード排出口
４４  カード発行部
４５  入力部
４６  現金挿入口
４７  現金識別部
５  貸出機である台間玉貸機
５１  カード挿入口
５２  リーダ／ライタ部
５３  貸出スイッチ
６  計数機
６１  カード挿入口
６２  カード情報読取部
６３  計数部
６４  投入口
７  管理コンピュータ
７１  記憶部
【図１】
0003568854.tif 000002
【図２】
0003568854.tif 000003
【図３】
0003568854.tif 000004
【図４】
0003568854.tif 000005
【図５】
0003568854.tif 000006